(57)【要約】【課題】下ケースを上ケースから取り外した場合でも、回路モジュールを上ケースに保持することができる携帯装置を提供することを目的とする。【解決手段】本発明は、操作釦４と、操作釦４を配置する透孔を有し下端部が開口している上ケース２と、上端部が開口し上ケース２と一体化して筐体をなす下ケース３と、操作釦４に対応するプッシュスイッチ５６を備えた回路モジュール５と、複数の端部を有しこの複数の端部間を上ケース２に固定した保持ラバー６とを備え、保持ラバー６は操作釦４を上ケース２の側から下ケース３の側へ投影した空間を通過し、回路モジュール５を上ケース２との間に保持する携帯装置である。【選択図】図２
2012199183.tif 000002
【特許請求の範囲】
【請求項１】
操作釦と、
前記操作釦を配置する透孔を有し下端部が開口している上ケースと、
上端部が開口し前記上ケースと一体化して筐体をなす下ケースと、
前記操作釦に対応するプッシュスイッチを備えた回路モジュールと、
複数の端部を有しこの複数の端部間を前記上ケースに固定した保持ラバーとを備え、
前記保持ラバーは前記操作釦を前記上ケース側から前記下ケース側へ投影した空間を通過し、前記回路モジュールを前記上ケースとの間に保持する携帯装置。
【請求項２】
前記保持ラバーは、前記上ケースに固定した前記保持ラバーの端部間を結ぶ直線上に位置する請求項１に記載の携帯装置。
【請求項３】
前記回路モジュールは前記下ケースを向く面に電池ソケットをさらに備える請求項１に記載の携帯装置。
【請求項４】
前記保持ラバーは、前記回路モジュールの前記下ケースを向く面上で前記電池ソケットが搭載されていない部分に接する請求項１に記載の携帯装置。
【請求項５】
前記上ケースに固定した前記保持ラバーの複数の端部間を結ぶ直線は、前記操作釦の押圧面側から見た重心を前記上ケース側から前記下ケース側へ投影した線上を通過する請求項２に記載の携帯装置。
【請求項６】
前記携帯装置は複数の操作釦を備えるものであり、
前記上ケースに固定した前記保持ラバーの複数の端部間を結ぶ直線は、前記複数の操作釦のうち押圧面の面積が最大である操作釦の押圧面側から見た重心を前記上ケース側から前記下ケース側へ投影した線上を通過する請求項５に記載の携帯装置。
【請求項７】
前記携帯装置は複数の操作釦を備えるものであり、
前記上ケースに固定した前記保持ラバーの複数の端部間を結ぶ直線は、前記複数の操作釦の押圧面側から見た重心を前記上ケース側から前記下ケース側へ投影した線上を通過する請求項５に記載の携帯装置。
【請求項８】
前記保持ラバーは前記回路モジュールの前記下ケースを向く面に密着することで前記回路モジュールを前記上ケースとの間に保持する請求項１に記載の携帯装置。
【請求項９】
前記回路モジュールの前記保持ラバーと密着する面に溝を形成した請求項８に記載の携帯装置。
【請求項１０】
操作釦と、
前記操作釦を配置する透孔を有し下端部が開口している上ケースと、
上端部が開口し前記上ケースと一体化して筐体をなす下ケースと、
前記操作釦に対応するプッシュスイッチを備えた回路モジュールと、
複数の端部を有しこの複数の端部間を前記上ケースに固定した保持ラバーとを備え、
前記保持ラバーは前記操作釦を前記上ケース側から前記下ケース側へ投影した空間を通過し、前記回路モジュールを前記上ケースとの間に保持する車両用キーレスエントリー携帯送信機。
【発明の詳細な説明】
【技術分野】
【０００１】
本発明は、筐体内部に回路モジュールを保持する車両用キーレスエントリー携帯送信機などの携帯装置に関するものである。
【背景技術】
【０００２】
従来の携帯装置としては、プリント基板をシーリングラバーで覆った回路モジュールを備え、この回路モジュールのシーリングラバーを上ケースおよび下ケースで挟持、圧接することにより回路モジュールを保持するものがある。
【０００３】
なお、この出願の発明に関する先行技術文献としては、例えば、特許文献１、特許文献２が知られている。
【先行技術文献】
【特許文献】
【０００４】
【特許文献１】特開平９−８４７４号公報
【特許文献２】特開２００１−３３９１７７号公報
【発明の概要】
【発明が解決しようとする課題】
【０００５】
従来の携帯装置は、電池交換などの際に下ケースを上ケースから取り外した場合、シーリングラバーの上ケースおよび下ケースによる挟持が開放されてしまう。従来の携帯装置は、上ケースが単独でラバーシートを係止しているわけではないので、下ケースを上ケースから取り外した際に、操作釦に触れてしまった場合、回路モジュールおよび操作釦が上ケースから落下してしまうという問題があった。
【０００６】
回路モジュールはプリント基板を備えており落下すると衝撃により実装されている電子部品等が破損する可能性があり好ましくない。
【０００７】
一方、携帯装置の下ケースに蓋体を設け、この蓋体を開閉して電池を装着する構成も知られているが、かかる携帯装置は蓋体の周囲に隙間を生じて防水性が損なわれる恐れがあるので好ましくない。従って、蓋体等の開閉部位を設けず、下ケースを上ケースから取り外して電池交換を行うものが一般的である。
【０００８】
本発明は、従来の問題を解決するためになされたもので、下ケースを上ケースから取り外した場合でも、回路モジュールを上ケースに保持することができる携帯装置を提供することを目的とする。
【課題を解決するための手段】
【０００９】
本発明は、操作釦と、前記操作釦を配置する透孔を有し下端部が開口している上ケースと、上端部が開口し前記上ケースと一体化して筐体をなす下ケースと、前記操作釦に対応するプッシュスイッチを備えた回路モジュールと、複数の端部を有しこの複数の端部間を前記上ケースに固定した保持ラバーとを備え、前記保持ラバーは前記操作釦を前記上ケース側から前記下ケース側へ投影した空間を通過し、前記回路モジュールを前記上ケースとの間に保持する携帯装置である。
【発明の効果】
【００１０】
本発明は、両端部を上ケースに固定した保持ラバーが回路モジュールを上ケースとの間
に保持するので、下ケースを上ケースから取り外した場合でも、回路モジュールを上ケースに保持することができるという効果を奏するものである。
【図面の簡単な説明】
【００１１】
【図１】本発明の一実施の形態における携帯装置の斜視図
【図２】本発明の一実施の形態における携帯装置の分解斜視図
【図３】本発明の一実施の形態における携帯装置の分解斜視図
【図４】本発明の一実施の形態における上ケースの斜視図
【図５】本発明の一実施の形態における下ケースを取り外した際の携帯装置の斜視図
【図６】本発明の一実施の形態における回路モジュールの分解斜視図
【図７】本発明の一実施の形態における携帯装置を操作釦の押圧面側からみた透視図
【図８】本発明の一実施の形態における携帯装置を操作釦の押圧面側からみた透視図
【発明を実施するための形態】
【００１２】
（実施の形態１）
以下、本発明の一実施の形態における携帯装置について図１〜図８を参照しながら説明する。
【００１３】
最初に、図１〜図３を用いて本発明の実施の形態１における携帯装置１の概略構造を説明する。図１は本発明の実施の形態１における携帯装置の斜視図であり、図２および図３は分解斜視図である。
【００１４】
携帯装置１は、例えば、操作釦を押下することで、車両の施錠または開錠が可能な車両用キーレスエントリー携帯送信機である。
【００１５】
図１に示すように携帯装置１は、下端部が開口している上ケース２と、上端部が開口している下ケース３とが一体化して筐体をなし、この内部空間に後述する回路モジュール５を備えるものである。また、上ケース２は透孔２１を有し、この透孔２１に操作釦４を配置する。
【００１６】
次に、本発明の実施の形態１における携帯装置について説明する際に用いる位置関係を説明する。図１のＸ軸およびＹ軸は、互いに直交する軸であり、Ｘ軸およびＹ軸を含む平面は操作釦４の押圧面と略平行な面である。また、図１のＺ軸は、Ｘ軸およびＹ軸と垂直な軸であって、操作釦４を使用する際に、操作釦４の押圧面を押圧される方向を負方向とする軸である。
【００１７】
図２および図３に示すように、上ケース２、操作釦４、回路モジュール５、保持ラバー６、下ケース３の順番で組み立てられる。
【００１８】
操作釦４（操作釦４ａ、４ｂ）は上ケース２が有する透孔２１（透孔２１ａ、２１ｂ）に配置され、その押圧面を上ケース２の外部（Ｚ軸の正方向）に露出する。操作釦４は例えば、円形形状であり、この場合、透孔２１も円形となる。
【００１９】
回路モジュール５は、後述するように、上ケース２を向く面に操作釦４（操作釦４ａ、４ｂ）に対応するプッシュスイッチ５６を備える。さらに、回路モジュール５は下ケース３を向く面に電池ソケット５１を備える。電池ソケット５１には電池７が挿入される。
【００２０】
保持ラバー６は、複数の端部を有しこの複数の端部が上ケース２のフック２２に固定され、回路モジュール５を上ケース２との間に保持する。
【００２１】
保持ラバー６は、操作釦４を上ケース２側から下ケース３側へ投影した空間、すなわち、操作釦４をＺ軸の負方向に投影した空間を通過するように構成される。
【００２２】
図４および図５を用いて上ケース２の構造について詳細に説明する。図４は上ケース２の斜視図であり、図５は下ケース３を取り外した際の携帯装置１の斜視図である。
【００２３】
上ケース２は、図４に示すように、保持ラバー６の端部を固定するためのフック２２（フック２２ａ、２２ｂ、２２ｃ、２２ｄ）を有する。保持ラバー６はクロス形状をしており、その端部はリング状に形成されている。保持ラバー６のリング部がフック２２に掛かることにより、保持ラバー６が上ケース２に固定される。
【００２４】
図５は、図１の携帯装置１から、下ケース３のみ取り外した際の斜視図である。保持ラバー６の端部はフック２２により上ケース２に固定され、回路モジュール５は、上ケース２と保持ラバー６とにより保持されている。より具体的には、保持ラバー６は回路モジュール５の下ケース３を向く面に密着することで回路モジュール５を上ケース２との間に保持する。
【００２５】
保持ラバー６は、回路モジュール５の下ケース３を向く面上で電池ソケット５１が搭載されていない部分に接する。保持ラバー６が電池ソケット５１に接すると、電池交換の際に保持ラバー６を取り外す必要がある。
【００２６】
このようにすることにより、電池交換時に下ケース３を外した際、保持ラバー６が電池交換の妨げにならないという効果を奏する。
【００２７】
保持ラバー６は弾性を有するものである。保持ラバー６は、例えば、シリコンゴム、エチレンプロピレンジエンゴム、ブチルゴム、天然ゴム、エラストマなどで構成することができる。
【００２８】
保持ラバー６が弾性を有することにより、上ケース２に取り付けられた回路モジュール５を保持が確実にできるとともに、携帯装置１が振動を受けた場合でもこの振動の回路モジュール５への伝達を軽減できる。保持ラバー６が弾性を有することにより、各部品の寸法のばらつきを吸収することもできる。
【００２９】
次に、図６を用いて回路モジュール５の構造について詳細に説明する。図６は回路モジュール５の分解斜視図である。
【００３０】
回路モジュール５は、ラバーシート５４、インナーケースカバー５５、プリント基板５７、インナーケース５８をこの順に組み立てることで構成される。
【００３１】
より詳細には、インナーケース５８とインナーケースカバー５５がプリント基板５７を挟み、ラバーシート５４がこれらを覆うように配置される。ラバーシート５４の開口端の周縁部には上ケース２と下ケース３とに挟持されるフランジ部が設けられている。このフランジ部により雨滴や埃がプリント基板５７へ入るのを防止している。
【００３２】
ラバーシート５４は緩衝部材としても機能し、外部からの振動や落下時の衝撃等でプリント基板５７が損傷するのを防止する役割も果たす。
【００３３】
ラバーシート５４は、外縁部に圧縮部５３を有する。上ケース２と下ケース３とでこの圧縮部５３を潰し込むことで外部からの水などの浸入を防止する。
【００３４】
プリント基板５７には各種電子部品が搭載される。例えば、携帯装置１が車両用キーレスエントリー携帯送信機に用いられる場合は、マイコン、メモリなどの電子部品が搭載される。
【００３５】
また、プリント基板５７は、上ケース２を向く面にプッシュスイッチ５６（５６ａ、５６ｂ）をさらに備える。
【００３６】
プッシュスイッチ５６は操作釦４に対応するものである。プッシュスイッチ５６の搭載位置は、回路モジュール５を上ケース２に組みつけた際に、Ｚ軸の正方向に操作釦４が来る位置に配置する。
【００３７】
さらに、回路モジュール５は、下ケース３を向く面に電池ソケット５１を備える。電池ソケット５１には電池７が挿入される。電池７は例えばボタン電池である。電池７が蓄積している電気エネルギは、プリント基板５７に搭載されている各種電子部品に供給される。
【００３８】
下ケース３を上ケース２から取り外すと、電池ソケット５１および電池７が露出するので電池７の交換を行うことが可能である。
【００３９】
このように、回路モジュール５のプッシュスイッチ５６を搭載した面と反対の面に電池ソケット５１を備えることで、電池交換時に下ケース３を外した際に容易に電池の交換をすることが可能となる。
【００４０】
また、回路モジュール５を構成するインナーケース５８には、保持ラバー６と密着する面に溝５２が形成されている。この溝５２を有することにより、保持ラバー６を確実に位置決めすることが可能となる。また、組立て後に保持ラバー６の位置がずれるのを防止することも可能となる。
【００４１】
図７を用いて、操作釦４と保持ラバー６との位置関係を詳細に説明する。図７は携帯装置１を操作釦４の押圧面側からみた透視図である。
【００４２】
図７（ａ）に示すように、保持ラバー６は、上ケース２に固定した保持ラバー６の端部間を結ぶ直線（直線Ａおよび直線Ｂ）上に位置し、回路モジュール５を保持している。
【００４３】
上ケース２に固定した保持ラバー６の複数の端部間を結ぶ直線（直線Ａおよび直線Ｂ）は、操作釦４ａの押圧面側から見た重心Ｇ１を上ケース２の側から下ケース３の側（Ｚ軸の負方向）へ投影した線上を通過する位置にある。直線Ａおよび直線Ｂは、重心Ｇ１を上ケース２の側から下ケース３の側へ投影した線上でクロスしている。
【００４４】
回路モジュール５の下ケース３を向く面をすべて保持ラバー６で保持することも考えられるが、保持ラバー６を多く用いることになる。電池交換時に下ケース３を外した際に操作釦４ａに触れた場合、重心Ｇ１が最も操作釦４ａから回路モジュール５へ力が伝達される点である。この点を保持ラバー６で保持することで、保持ラバー６の体積、即ち材料使用量を減らしつつ、回路モジュール５の保持は維持できるという効果を奏する。
【００４５】
保持ラバー６を、図７(ｂ)に示すように構成することもできる。図７（ｂ）においては、操作釦４ａの重心Ｇ１に１本の幅広い保持ラバー６が直線Ｃの方向に位置し、回路モジュール５を保持している。
【００４６】
図７(ｂ)では、上ケース２に固定した保持ラバー６の複数の端部間を結ぶ直線は、複数
の操作釦（操作釦４ａ、操作釦４ｂ）のうち少なくとも押圧面の面積が最大である操作釦４ａの押圧面側から見た重心Ｇ１を上ケース２の側から下ケース３の側（Ｚ軸の負方向）へ投影した線上を通過するように構成している。
【００４７】
押圧面の面積が最大である操作釦が、下ケース３を上ケース２から取り外した際に最も人が触れてしまう操作釦である。少なくとも、押圧面の面積が最大である操作釦４ａの押圧面側から見た重心Ｇ１の投影線上を保持ラバー６が通過するようにしておくことが、回路モジュール５の保持に効果的である。
【００４８】
また、保持ラバー６を１本にすることで保持ラバー６を用いる量を減らしつつ回路モジュール５の保持を維持できるという効果を奏する。この時、保持ラバー６を２本から１本にすることで保持力が減少するので、保持ラバーの幅を広げることで保持力を上げるようにすることも可能である。
【００４９】
さらに、直線Ｃは、操作釦４ａの重心Ｇ１の投影線上だけでなく、操作釦４ｂの重心Ｇ２の投影線上をも通過している。
【００５０】
すなわち、上ケース２に固定した保持ラバー６の複数の端部間を結ぶ直線Ｃは、複数の操作釦（操作釦４ａ、操作釦４ｂ）の押圧面側から見た重心（Ｇ１およびＧ２）を上ケース２の側から下ケース３の側（Ｚ軸の負方向）へ投影した線上を通過するように構成している。
【００５１】
このようにすることにより、下ケース３を上ケース２から取り外した際に人が触れてしまい得る複数の操作釦に対して、保持ラバー６を用いる量を減らしつつ回路モジュール５の保持を維持できるという効果を奏する。
【００５２】
以上により本発明は、複数の端部を上ケースに固定した保持ラバーが回路モジュールを上ケースとの間に保持するので、下ケースを上ケースから取り外した場合でも、回路モジュールを上ケースに保持することができるという効果を奏するものである。この結果、電池交換作業等を効率よく安全に行うことができる。
（変形例１）
次に図８を用いて、本実施の形態の携帯装置１の変形例について説明する。図８は携帯装置１を操作釦４の押圧面側からみた透視図である。
【００５３】
図８（ａ）は、Ｈ型の保持ラバー６で回路モジュール５を保持している。保持ラバー６は、上ケース２に固定した保持ラバー６の端部間を結ぶ直線（直線Ｄおよび直線Ｅ）上に位置し、回路モジュール５を保持している。
（変形例２）
図８（ｂ）に示すように、保持ラバー６を、方形部分と、この方形部分の一辺から保持ラバー６を延長して端部にいたる部分とで構成することも可能である。保持ラバー６の方形部分の一部を構成する直線部分ＦおよびＬ字部分Ｇの部分にて、回路モジュール５が保持される。
（変形例３）
また、図８（ｃ）に示すように、保持ラバー６を、円形部分と、この円形部分の一部分から保持ラバー６を延長して端部にいたる部分とで構成することも可能である。保持ラバー６の曲線Ｈおよび曲線Ｉの部分にて、回路モジュール５が保持される。
【００５４】
変形例１から変形例３に示すように保持ラバー６の形状は様々考えられるが、いずれも保持ラバー６が複数の端部を有し、この複数の端部間を上ケース２に固定し、かつ、保持ラバー６は操作釦４を上ケース２の側から下ケース３の側へ投影した空間を通過している
点は共通している。この条件を満たしていれば、保持ラバー６の形状は操作釦４のレイアウト等にあわせて自由に行うことができる。
【００５５】
また、変形例１から変形例３はいずれも、保持ラバー６が、操作釦４ａの重心Ｇ１の投影線上、および、操作釦４ｂの重心Ｇ２の投影線上を通過している。このようにすることで、保持ラバー６を用いる量を減らしつつ回路モジュール５の保持を維持できるという効果を奏する。
【００５６】
なお、本実施の形態では、操作釦４の押圧面の形状は円形であると記載したが、これに限定されない。本発明は、押圧面の形状が四角形などのその他多角形、直線部分と曲線部分とを有する形状など、様々な形状の操作釦を備える携帯装置に適用することが可能である。
【産業上の利用可能性】
【００５７】
本発明は、車両用キーレスエントリー携帯送信機などに用いる携帯装置等として有用である。
【符号の説明】
【００５８】
１    携帯装置
２    上ケース
２１  透孔
２２  フック
３    下ケース
４    操作釦
５    回路モジュール
５１  電池ソケット
５２  溝
５３  圧縮部
５４  ラバーシート
５５  インナーケースカバー
５６  プッシュスイッチ
５７  プリント基板
５８  インナーケース
６    保持ラバー
７    電池
【図１】
2012199183.tif 000003
【図２】
2012199183.tif 000004
【図３】
2012199183.tif 000005
【図４】
2012199183.tif 000006
【図５】
2012199183.tif 000007
【図６】
2012199183.tif 000008
【図７】
2012199183.tif 000009
【図８】
2012199183.tif 000010